(57)【要約】【課題】真空断熱材が在る断熱空間内での発泡断熱材の流れを円滑にする冷蔵庫および冷蔵庫の製作方法を提供する。【解決手段】本発明に関わる冷蔵庫１は、断熱箱体１Ｈ１を形成する筐体を成す外箱６および貯蔵室２、３、４を形成する内箱７と、外箱６と内箱７との間に形成される断熱空間１５に充填される発泡断熱材１１と、断熱空間１５内に発泡断熱材１１と共に配置され、外箱６に取り付けられる外箱側真空断熱材１６および内箱７に取り付けられる内箱側真空断熱材１７とを備え、庫内を区画して断熱する仕切り断熱壁９、１０に対向した断熱空間１５の箇所に、外箱側真空断熱材１６と内箱側真空断熱材１７のうちの少なくとも何れか一方が配置されている。【選択図】図４
2013249977.tif 000002
【特許請求の範囲】
【請求項１】
断熱箱体を形成する筐体を成す外箱および貯蔵室を形成する内箱と、
前記外箱と前記内箱との間に形成される断熱空間に充填される発泡断熱材と、
前記断熱空間内に前記発泡断熱材と共に配置され、前記外箱に取り付けられる外箱側真空断熱材および前記内箱に取り付けられる内箱側真空断熱材とを備え、
庫内を区画して断熱する仕切り断熱壁に対向した前記断熱空間の箇所に、前記外箱側真空断熱材と前記内箱側真空断熱材のうちの少なくとも何れか一方が配置される
ことを特徴とする冷蔵庫。
【請求項２】
冷蔵温度帯の他の貯蔵室周りの前記断熱空間の厚さより厚く形成される断熱空間を周りに有する冷凍温度帯の冷凍室を備え、
前記冷凍室周りの断熱空間に前記外箱側真空断熱材と前記内箱側真空断熱材とが配置され、当該断熱空間の前記発泡断熱材が流れる隙間通路が、前記他の貯蔵室周りの断熱空間の前記発泡断熱材が流れる隙間通路に合わせた大きさに形成される
ことを特徴とする請求項１記載の冷蔵庫。
【請求項３】
前記断熱空間における前記発泡断熱材の流れる隙間通路の厚さが１５ｍｍ以上である
ことを特徴とする請求項１記載の冷蔵庫。
【請求項４】
冷蔵庫の断熱箱体の壁板を形成する外箱と内箱との間の断熱空間内に、前記外箱に取り付けられる外箱側真空断熱材と前記内箱に取り付けられる内箱側真空断熱材とが設けられるとともに、庫内を区画して断熱する仕切り断熱壁に対向した前記断熱空間に、前記外箱側真空断熱材と前記内箱側真空断熱材のうちの少なくとも何れか一方が設けられ、
発泡断熱材の原液が、前記断熱箱体の断熱空間に充填される
ことを特徴とする冷蔵庫の製作方法。
【発明の詳細な説明】
【技術分野】
【０００１】
本発明は、冷蔵庫および冷蔵庫の製作方法に関する。
【背景技術】
【０００２】
従来、冷蔵庫に於ける断熱箱体は、筐体を成す鋼板製の外箱と貯蔵室を形成する樹脂製の内箱とで外郭が形成されている。そして、外箱、内箱間に形成される断熱空間内に外箱と内箱とを一体化するポリウレタンフォーム（以下、発泡断熱材と称す）を充填し、断熱箱体が構成されている。
【０００３】
近年、省エネ化や庫内容積効率の向上を目的として、断熱空間内に発泡断熱材と併用して断熱効果が高い真空断熱材を配置したものが、製品化されている。
この真空断熱材は、板状であり、厚さが１０〜１５ｍｍ前後で、幅および長さは配置する場所、例えば外箱の左右の側壁であれば、その側壁の寸法より僅かに小さい寸法に形成されている。この真空断熱材を断熱空間内に配設した場合、空きスペースが減少することから、発泡断熱材（フォーム）の充填時の抵抗が増加し、流れを阻害する。
【０００４】
これが、断熱空間内の最終充填部となる断熱箱体背面部(冷蔵庫の後板に相当)での空洞、或いはボイド等の発生を招来する。
発泡断熱材の流れを阻害する要因は、外箱と内箱との間の断熱空間が、年々、庫内容積の効率向上に向けて狭小化していることもあるが、主因は真空断熱材を外箱と内箱との間の断熱空間内に配置しているためである。
【０００５】
すなわち、外箱と内箱とで形成される断熱空間の厚さが４０ｍｍ前後であるところに、厚さ１０〜１５ｍｍ前後の真空断熱材を例えば２枚配置すると厚さ２０〜３０ｍｍ前後の断熱空間を占有するため、断熱空間内を発泡断熱材が流れる通路は実質、厚さ１０ｍｍ前後の空間と非常に狭くなってしまう。
【０００６】
発泡断熱材を形成するポリウレタンフォームの原液は断熱箱体の背面側(冷蔵庫の後板側)より注入し、原液が最終的に注入される最終充填部を断熱空間の背面部(冷蔵庫の後板部)としている。
【０００７】
即ち、断熱箱体の断熱空間内で発泡を開始したウレタンフォーム(以下、フォームと称す)は真空断熱材が貼られた以外の狭い空間を該フォームで充填しながら最終充填部に向かって流れるので、抵抗が大きく最終充填部に該フォームが到達しないで空洞、或いはボイド等を発生する可能性が高い。
【０００８】
また、真空断熱材の周囲を覆う外包材は合成樹脂とアルミニウム箔とのラミネートフイルムで作られているので、断熱空間内に配設する時には外包材を損傷しないように細心の注意を払う必要がある。しかし、真空断熱材の大型化がこの損傷を誘起していた。
また、真空断熱材は製作上、内部を密封するため外包材を熱溶着する耳部(段落００１５に定義)が必要となる。この耳部を外包材表面側である真空断熱材の反取り付け面側に折り返すと、折り返し部がある箇所は厚みが略５ｍｍ大きくなってしまう。
【０００９】
真空断熱材は耳部を略全周、例えば矩形状の場合に４辺に有していることより、２枚の真空断熱材を持つ箱体に於いては、厚さ１０ｍｍの真空断熱材であっても断熱空間が４０ｍｍとすると、真空断熱材２枚で耳部を含め厚さ３０ｍｍとってしまうため、発泡断熱材の実質通路は１０ｍｍ厚の空きスペースとなってしまい、抵抗が増加し発泡断熱材がうまく流れないことがある。
なお、本願に係わる文献公知発明として、下記の特許文献１、２がある。
【先行技術文献】
【特許文献】
【００１０】
【特許文献１】特開２００５−１４７５９１号公報
【特許文献２】特開２００６−２４２４３９号公報
【発明の概要】
【発明が解決しようとする課題】
【００１１】
ところで、冷蔵庫の発泡断熱材の原液の注入は、冷蔵庫本体の背面側(冷蔵庫の後板側)が上になるように冷蔵庫本体を伏せて冶具に設置し、当該背面側より内箱の開口側(冷蔵庫本体の開口側)に向かって行われる。
この原液は、約１０〜３０秒で内箱開口側の全体に行き渡った所でフォーム化(発泡)を始め、断熱箱体の両側壁、天井壁、底壁を発泡しながら上昇し、最後に背面部に至り、発泡を約４〜６分で終了する。勿論、この発泡が最後に行き渡る背面部（最終充填部）は、予め繰り返し試験等で決めておく。
【００１２】
ところが、最近、省エネ化、庫内容積効率向上等の関係で、更に断熱性能を向上させた冷蔵庫がある。該冷蔵庫は、発泡断熱材より断熱性能のよい真空断熱材の使用枚数を増やし、従来、外箱、主に両側面板、背面板、底面板側にのみ配設していた真空断熱材を、内箱側にも配設するものである。
【００１３】
通常、真空断熱材の厚さは１０〜１５ｍｍあるので、内箱と外箱との間の断熱空間の断面積の厚さが４０〜６０ｍｍである隙間通路に外箱に貼り付けるようにして配設すると、先の発泡断熱材の充填時、真空断熱材がフォームの流れを阻害し、最終充填部にフォームが届かず、空洞部やボイドが生じるという課題がある。
【００１４】
即ち、通常の冷蔵庫は、外箱と内箱間の断熱空間に発泡断熱材を充填して真空断熱材も含め一体化している。冷蔵庫に使われる発泡断熱材は、原液注入から発泡終了までの時間が４〜６分程度と非常に短い。従って、例えば厚さ４０ｍｍの断熱空間に２枚の板厚の合計が３０ｍｍの真空断熱材が配設されたとすると、そこを流れるフォームの流れは流路抵抗が大きくなり、４０ｍｍの隙間通路を流れるスピードより大幅に遅くなる。そのため、フォームが所定の時間内に冷蔵庫背面の最終充填部に届かず、発泡を終了してしまい、背面部においてフォームが不足することで空洞やボイドを生じる。
【００１５】
また、真空断熱材は上下２枚の外包材で芯材を包み、該芯材を加圧成形する。その後、外包材内の真空引きを行い、外包材の周囲を熱溶着して内部を密封し、所定の板状に作られる。
このため、真空断熱材の外周には必ず溶着部を含む端部（以下、耳部と称す）が残ってしまう。耳部は通常、その根本から真空断熱材の反取り付け面側に折り曲げられ外包材に重ねて、テープ止め等して固定されているのが一般的である。
【００１６】
この重ねられる耳部の厚みは５ｍｍ程度となることより、当然この耳部も発泡断熱材のフォームの流れを阻害することは勿論、発泡断熱材の最終充填部に空洞、ボイド等を作る要因となっている。
特許文献１、２においては、耳部によるフォーム流れ阻害等に関しては何等記載されていない。
【００１７】
また、特許文献１、２の如く、発泡断熱材の最終充填部に空洞、ボイド等を作る要因をなくすために注入量を上げる等を行うことによるコスト増や冷蔵庫の重量アップ等の改善すべき課題がある。
本発明は上記実状に鑑み、真空断熱材が在る断熱空間内での発泡断熱材の流れを円滑にする冷蔵庫および冷蔵庫の製作方法の提供を目的とする。
【課題を解決するための手段】
【００１８】
本発明は上記目的を解決する為になされたものであり、第１の本発明の冷蔵庫は、断熱箱体を形成する筐体を成す外箱および貯蔵室を形成する内箱と、前記外箱と前記内箱との間に形成される断熱空間に充填される発泡断熱材と、前記断熱空間内に前記発泡断熱材と共に配置され、前記外箱に取り付けられる外箱側真空断熱材および前記内箱に取り付けられる内箱側真空断熱材とを備え、庫内を区画して断熱する仕切り断熱壁に対向した前記断熱空間の箇所に、前記外箱側真空断熱材と前記内箱側真空断熱材のうちの少なくとも何れか一方が配置されている。
【００１９】
第２の本発明の冷蔵庫の製作方法は、冷蔵庫の断熱箱体の壁板を形成する外箱と内箱との間の断熱空間内に、前記外箱に取り付けられる外箱側真空断熱材と前記内箱に取り付けられる内箱側真空断熱材とが設けられるとともに、庫内を区画して断熱する仕切り断熱壁に対向した前記断熱空間に、前記外箱側真空断熱材と前記内箱側真空断熱材のうちの少なくとも何れか一方が設けられ、発泡断熱材の原液が、前記断熱箱体の断熱空間に充填されている。
【発明の効果】
【００２０】
本発明によれば、真空断熱材が在る断熱空間内での発泡断熱材の流れを円滑にする冷蔵庫および冷蔵庫の製作方法を実現できる。
【図面の簡単な説明】
【００２１】
【図１】本発明に係る実施形態の冷蔵庫の正面図である。
【図２】図１のＡ−Ａ線断面図である。
【図３】図２のＢ−Ｂ線断面図である。
【図４】(ａ)は図２のＣ−Ｃ線断面図であり、(ｂ)は比較例(従来)の図２のＣ−Ｃ線断面相当図である。
【図５】冷蔵庫の断熱箱体にポリウレタンフォーム（発泡断熱材）を注入して発泡する状態を矢印で示す要部縦断面図である。
【図６】外箱側・内箱側真空断熱材の内部構成を示す横断面図である。
【発明を実施するための形態】
【００２２】
以下、本発明の実施形態について添付図面を参照して説明する。
図１は本発明に係る実施形態の冷蔵庫の正面図であり、図２は図１のＡ−Ａ線断面図である。
実施形態の冷蔵庫１は、内部に、上から順に冷蔵室２、冷凍室３、野菜室４を備えている。冷蔵室２、冷凍室３、野菜室４は、それぞれの扉２ｔ、３ｔ、４ｔにより前面開口縁２ｅ、３ｅ、４ｅ(図２参照)が開閉自在に閉塞されている。
【００２３】
冷蔵庫１は、貯蔵室(２、３、４)が形成される冷蔵庫本体１Ｈと、冷蔵庫本体１Ｈに取着される扉２ｔ、３ｔ、４ｔとを具え構成されている。
冷蔵庫本体１Ｈは、外箱６と内箱７との間に形成される断熱空間１５内に、真空断熱材(１６、１７)と発泡断熱材１１とを配置して断熱層が形成される。なお、外箱６と内箱７とこれらの間の断熱空間１５とで形成される箱体を断熱箱体１Ｈ１と称す。
【００２４】
図２に示すように、冷蔵庫本体１Ｈの後方下部には、庫内を冷却するための冷凍サイクルを構成する圧縮機５が配置されている。
冷蔵庫本体１Ｈの筐体を形成する外箱６は、薄い板厚の鋼板製である。
外箱６は、鋼帯からフォミングロール等を使用して、両側面板６ａ、６ｂおよび天面板６ｃを一体に成形したものに、底面板６ｄおよび背面板６ｅを、ネジ止め等で組み付けられる。
【００２５】
図３は図２のＢ−Ｂ線断面図である。図４(ａ)は図２のＣ−Ｃ線断面図であり、図４(ｂ)は比較例(従来)の図２のＣ−Ｃ線断面相当図である。
側面板６ａ、６ｂの各後端縁(図３、図４の上側)および天面板６ｃ(図２参照)の後端縁(図示せず)には、底面板６ｄ、背面板６ｅを接続するための３重に折り返されたＨ状折り曲げ部８ｂが形成されている。
【００２６】
底面板６ｄ(図２参照)、背面板６ｅの側面板６ａ、６ｂや天面板６ｃへの組み付けに際しては、側面板６ａ、６ｂおよび天面板６ｃの各後端縁に設けられたＨ状折り曲げ部８ｂに底面板６ｄ、背面板６ｅの側端縁を挿入し、ビス止めやネジ止め等で組み付けられる。
外箱６の前端縁(図３、図４(ａ)の下側)には、鋼板を折り返してＲ状を成すＲ状折り曲げ部８ａが形成されている。
内箱７の外箱６への組み付けは、外箱６の前端縁に設けられた接続用のＲ状折り曲げ部８ａに内箱７のフランジ部７ａが差し込まれ、固定される。
【００２７】
図２に示すように、断熱箱体１Ｈ１の断熱空間１５内の外箱６には、後記するように、外箱側真空断熱材１６が貼着される(貼り付けられる)。また、断熱空間１５内の内箱７には、内箱側真空断熱材１７が貼着される(貼り付けられる)。その後、断熱箱体１Ｈ１の外箱・内箱側真空断熱材１６、１７が取り付けられた断熱空間１５に発泡断熱材１１が充填される。
【００２８】
冷蔵温度帯の冷蔵室２と冷凍温度帯の冷凍室３との間は断熱する必要があるため、両室(２、３)を区画して断熱する仕切り断熱壁９が設けられている。
同様に、冷凍温度帯の冷凍室３と冷蔵温度帯の野菜室４との間は断熱する必要があるため、両室(３、４)を区画して断熱する仕切り断熱壁１０が設けられている。
これら仕切り断熱壁９、１０は、発泡スチロフォーム等を用いて予め形成された部材であり、外箱６、内箱７間の断熱空間１５への発泡断熱材１１の充填前に、内箱７の所定位置に固着される。
【００２９】
＜断熱箱体１Ｈ１への発泡断熱材１１の充填＞
次に、断熱箱体１Ｈ１の断熱空間１５への発泡断熱材１１の充填について説明する。
図５は冷蔵庫の断熱箱体にポリウレタンフォーム（発泡断熱材）を注入して発泡する状態を矢印で示す要部縦断面図である。図５では、冷蔵室２、冷凍室３、野菜室４の各前面開口縁２ｅ、３ｅ、４ｅを鉛直下方に向けている。
断熱箱体１Ｈ１の背面の後上部と後下部とには、発泡断熱材１１の原液１３の注入口１２が複数個所、例えば４箇所設けられている。
【００３０】
原液１３を断熱箱体１Ｈ１に注入する作業は以下のように遂行される。
断熱箱体１Ｈ１を、その背面が上になるように伏せて発泡雇(発泡治具)１８内に収納してセットする。その後、発泡断熱材１１の原液１３を、断熱箱体１Ｈ１の背面の注入口１２より、断熱空間１５内に冷蔵庫１の前面開口縁２ｅ、３ｅ、４ｅ側に向けて注入する(図５の矢印α１)。
【００３１】
注入された原液１３は、流動性があり、断熱空間１５内を１０〜３０秒位の間に断熱箱体１Ｈ１の前面開口縁２ｅ、３ｅ、４ｅまでの全域に行き渡る。
その後、断熱空間１５内で原液１３が発泡を開始し、断熱空間１５内を予め設定された最終充填部１４に向けて(図５の実・破線矢印α２)進みつつ、断熱空間１５を充填しながら発泡を続ける。この間、約４〜６分位である。
【００３２】
＜外箱側真空断熱材１６、内箱側真空断熱材１７＞
次に、断熱空間１５内の外箱６、内箱７にそれぞれ取り付けられる外箱側真空断熱材１６、内箱側真空断熱材１７について詳述する。
図６は、外箱側・内箱側真空断熱材の内部構成を示す横断面図である。
外箱側・内箱側真空断熱材１６、１７は、中央部に配置される芯材１９を成す無機繊維集合体であるグラスウール層、吸着剤等を内袋材（図示せず）で内包し、アルミ箔等のガスバリヤ性を有する外被材２０で真空包装されている。
【００３３】
内袋材（図示せず）については、ポリエチレンフィルム、或いは、ポリプロピレンフィルム、ポリエチレンテレフタレートフィルム、ポリブチレンテレフタレートフィルム等が使用される。つまり、内袋材は、吸湿性が低く熱溶着でき、アウトガス(ガス漏洩)が少ないものを用いる。
【００３４】
吸着剤には、細孔で水分やガス分子を捕捉する物理吸着タイプの合成ゼオライト等を用いる。なお、吸着剤は合成ゼオライトでなくとも、水分やガスを吸着するものであればよく、シリカゲルや酸化カルシウム、塩化カルシウム、酸化ストロンチウム等の化学反応で水分やガスを吸着する化学反応型吸着剤を用いることもできる。
【００３５】
外被材２０については、表面層として吸湿性が低いポリプロピレンフィルムを設け、防湿層としてポリエチレンテレフタレートフィルムにアルミ蒸着層を設けている。そして、ガスバリヤ層は、エチレンビニルアルコール共重合体フィルムにアルミ蒸着層を設けて、防湿層のアルミ蒸着層と向かい合わせるように貼り合せている。
【００３６】
このように、外被材２０のラミネート(積層)構成については、表面層のポリプロピレンフィルム、防湿層のポリエチレンテレフタレートフィルム、アルミ蒸着層、ガスバリヤ層のエチレンビニルアルコール共重合体フィルムの材質で成る４層構成としている。しかし、同等のガスバリヤ性、耐熱、突き刺し強度を有したポリアミドフィルムやポリエチレンテレフタレートフィルム等であれば前記４層の構成に限定されるものではなく、各材質は適宜選択できる。
【００３７】
外箱側・内箱側真空断熱材１６、１７の周囲には、耳部２１が形成されている。耳部２１は、製造工程において、開口を持つ袋状の外被材２０内に該開口より芯材１９を挿入した後、所定の形状に加圧成形し、更に該開口を熱溶着した際に形成される。
【００３８】
通常、耳部２１の長さＬ１は４０〜６０ｍｍに形成されている。耳部２１の長さＬ１は、図６に示すように、Ｌ２＋Ｌ３(＝Ｌ１)で構成される。
Ｌ２は、外被材２０の溶着前の開口より外被材２０内に空気が入り真空度を落としてしまうのを抑制するのに必要な寸法、例えば１０〜１５ｍｍであり、Ｌ３は、残りの寸法(＝Ｌ１−Ｌ２)である。なお、耳部２１の全長さＬ１は予め設計時に設定される。
【００３９】
耳部２１は中央側に折り返してその反取り付け面側が外箱側・内箱側真空断熱材１６、１７の表面側(反取り付け面側)に折り曲げられ、その先端部がテープ等で留められている。テープは、ビニールテープ、樹脂製テープでもよく、限定されない。或いは、耳部２１の先端部を、外箱側・内箱側真空断熱材１６、１７の表面側に接着剤を用いて留めてもよい。
【００４０】
耳部２１がテープ２２により留められている箇所は、断熱空間１５内に組み込んだ時、反貼着面側である発泡断熱材１１側になるようにしている。これは、耳部２１を通して外箱６の熱が庫内側に伝わるのを抑制するためである。また、耳部２１を通して内箱７の庫内の冷熱が庫外側に伝わる、つまり庫内の冷熱が外部に漏出するのを抑制するためである。所謂、ヒートブリッジの抑制が目的である。
このように形成された外箱側・内箱側真空断熱材１６、１７を、前記したように、断熱空間１５内の外箱６側、内箱７側にそれぞれ貼着して配置している。
【００４１】
本実施形態(発明)は、この真空断熱材１６、１７の配置の仕方(方法)に特徴を有している。
＜外箱側・内箱側真空断熱材１６、１７の取り付け＞
次に、外箱側真空断熱材１６の外箱６への取り付け、内箱側真空断熱材１７の内箱７への取り付けについて、詳述する。
図３、図４に示すように、外箱６を形成する側面板６ａ、６ｂおよび背面板６ｅの断熱空間１５側には、外箱側真空断熱材１６が配置される。内箱７の断熱空間１５側には、内箱側真空断熱材１７が配置される。
【００４２】
換言すれば、断熱空間１５内の外箱６の面には外箱側真空断熱材１６が貼着されており、断熱空間１５内の内箱７の面には、内箱側真空断熱材１７が貼着されている。外箱側・内箱側真空断熱材１６、１７は、それぞれ外箱６または内箱７に例えばホットメルト等の接着剤を使用して貼着される。
【００４３】
貼着作業は、ホットメルトを使用する場合、以下のように遂行される。
まず、ホットメルトを炉内で加熱し溶融させて、外箱側真空断熱材１６の貼着面に塗布するとともに、内箱側真空断熱材１７の貼着面に塗布する。
そして、外箱６の断熱空間１５側の面に、外箱側真空断熱材１６のホットメルトが塗布された貼着面を貼り、冷却によりホットメルトを固化させ、外箱側真空断熱材１６を外箱６に貼着する。また、内箱７の断熱空間１５側の面に、内箱側真空断熱材１７のホットメルトが塗布された貼着面を貼り、冷却によりホットメルトを固化させ、内箱側真空断熱材１７を内箱７に貼着する。
【００４４】
外箱側・内箱側真空断熱材１６、１７は、冷蔵室２の断熱空間１５に、２周りであると厚さ約４０ｍｍ前後の断熱空間１５をとる構成としている。また、外箱側・内箱側真空断熱材１６、１７は、冷凍室３の断熱空間１５に、３周りであると厚さ約６０ｍｍ前後の断熱空間１５をとる構成としている。つまり、外箱側・内箱側真空断熱材１６、１７を１層配置する断熱空間１５は厚さ約２０ｍｍ前後としている。
【００４５】
また、図３、図４(ａ)に示すように、断熱空間１５内の側面板６ａ、６ｂ、天面板６ｃ、背面板６ｅにそれぞれ貼着された外箱側真空断熱材１６は、その外被材２０等の損傷を回避するため、前端縁に形成される接続用のＲ状折り曲げ部８ａ、後端縁に形成される接続用のＨ状折り曲げ部８ｂを大きく避けて、つまり間隔をおいて配置されている。
そのため、各外箱側真空断熱材１６は、それぞれ側面板６ａ、６ｂ、天面板６ｃ、背面板６ｅの延在面積より小さい寸法の面積に形成されている。
【００４６】
これにより、外箱側真空断熱材１６を側面板６ａ、６ｂ、天面板６ｃ、および背面板６ｅに貼着(固着)する時、接続用のＨ状折り曲げ部８ｂ、および接続用のＲ状折り曲げ部８ａの端面に接触することで、外箱側真空断熱材１６がそれぞれ損傷してしまうことを抑制している。
【００４７】
同様に、断熱空間１５内の内箱７に貼着された内箱側真空断熱材１７は、その外被材２０等の損傷を回避するため、前端縁に形成される接続用のＲ状折り曲げ部８ａを大きく避けて、つまり間隔をおいて配置されている。
【００４８】
そのため、内箱側真空断熱材１７は、内箱７の取り付け面の延在面積より小さい寸法の面積に形成されている。
これにより、内箱側真空断熱材１７を内箱７に貼着(固着)する時、接続用のＲ状折り曲げ部８ａの端面に接触することで、内箱側真空断熱材１７が損傷してしまうことを抑制している。
【００４９】
すなわち、断熱性が高い外箱側真空断熱材１６は可能であれば、側面板６ａ、６ｂ、天面板６ｃおよび背面板６ｅと同程度の大きさ(面積)に作ったものを使用するのが、側面板６ａ、６ｂ、天面板６ｃ、背面板６ｅを広く覆設できるので、断熱効果を上げる点からすると好ましい。
しかし、外箱側真空断熱材１６を大きくすると、接続用のＨ状折り曲げ部８ｂ、接続用のＲ状折り曲げ部８ａ近くに配置されるため、外箱側真空断熱材１６の側面板６ａ、６ｂ、天面板６ｃ、背面板６ｅへの設置時に接触し損傷する確率が高くなる。
そのため、外箱側真空断熱材１６は、接続用のＨ状折り曲げ部８ｂ、接続用のＲ状折り曲げ部８ａからそれぞれ間隔をおいて配置している。
【００５０】
内箱側真空断熱材１７も、同様な理由で、接続用のＲ状折り曲げ部８ａから間隔をおいて配置している。
図３のＰ部は接続用のＨ状折り曲げ部８ｂを外箱側真空断熱材１６が避けるために、真空断熱材がカバーしてない断熱箱体１Ｈ１の部分を示す。
Ｐ部の外箱６の接続用のＨ状折り曲げ部８ｂ近傍域には、外箱側真空断熱材１６が配置されないことになるため、外箱側真空断熱材１６のカバー範囲より外れるＰ部（内箱７の角部）に、角部内箱側真空断熱材１７ａを配設している。
【００５１】
そして、角部内箱側真空断熱材１７ａは外箱側真空断熱材１６と投影面上でラップする(重なる)よう、換言すれば、角部内箱側真空断熱材１７ａが外箱側真空断熱材１６と対向する箇所があるように設けられている。重畳または対向する寸法は、少なくとも３０ｍｍ程度とるとよい。この重畳する寸法は、任意に選択してもよい。
この構成により図３に示すＰ部の外箱６の真空断熱材(１６)がカバーしない部分(箇所)をなくしている。
【００５２】
勿論、本実施形態(本発明)にあっては後記する手段を採り、内箱側真空断熱材１７と外箱側真空断熱材１６間の隙間通路Ｇ１（発泡断熱材１１が発泡時に流れる隙間通路）は少なくとも発泡断熱材１１が良好に流れることが出来る寸法、例えば厚さ寸法１５ｍｍ(＝Ｇ１)とし、隙間通路Ｇ１の断面積を確保している。
【００５３】
具体的には、図４(ａ)にも示す如く、仕切り断熱壁９、（１０）に対向した断熱空間１５部には少なくとも、図３で説明した内箱側真空断熱材１７を設けないようにしたものである。
これは、仕切り断熱壁９、１０に対向した断熱壁部(断熱空間１５)は他の断熱壁部(断熱空間１５)に比較して内箱７の温度が高くなることもあるが、仕切り断熱壁９、１０に対向した断熱空間１５の発泡断熱材の流路を大きく(広く)して、最終充填部１４(図５参照)への発泡断熱材１１の充填を容易にするためである。
【００５４】
前記したように、図５の如く、内箱７と外箱６の接続部(断熱空間１５)に注入された原液１３は発泡を進めて行くが、比較例の図４(ｂ)に示すように、外箱側真空断熱材１６と、内箱側真空断熱材１７とが断熱空間１５内に配置されているものは、隙間通路Ｇ１０寸法が従来、１０〜１５ｍｍと非常に狭くなる。そのため、図５に示す、矢印方向α１、α２への原液１３の流れスピードが大幅に落ち、予め決められた発泡時間である４〜６分では最終充填部１４に届かず、発泡を終了してしまうことが応々にしてある。
【００５５】
そこで、本実施形態は、仕切り断熱壁９（１０）対向部の断熱空間１５は他の断熱空間１５に比較してフォーム(発泡断熱材１１)の流れを良好にしたものである。
つまり、従来、最終充填部１４近くで不足していたフォーム（発泡断熱材１１）を仕切り断熱壁９（１０）対向部の断熱空間１５の部分の流路を広くすることで、フォーム（発泡断熱材１１）の流れを円滑にして、補うようにしている。
【００５６】
具体的には、図４(ａ)に示すように、他の場所に比較して断熱性を要求されない仕切り断熱壁９、１０の対向部の断熱空間１５には内箱側真空断熱材１７を設けてない。
これにより、外箱側真空断熱材１６と内箱７との隙間通路Ｇ１の厚さ寸法を、１５ｍｍ以上確保している。隙間通路Ｇ１の厚さ寸法の確保は、発泡断熱材１１のフォームが流れる通路(流路)を確保することに繋がる。
【００５７】
そのため、図５に示す断熱箱体１Ｈ１の断熱空間１５へ発泡断熱材１１を充填する際の抵抗が小さくなり、矢印α１、α２方向へのフォームの流れスピードが落ちることなく設定時間内で最終充填部１４に到達する。そのため、従来発生していた空洞或いはボイドが埋められ、空洞或いはボイドがない充填作業が可能になっている。
【００５８】
以上の如く、仕切り断熱壁９、１０の対向部の断熱空間１５には内箱側真空断熱材１７を設けないようにすることにより、十分な隙間通路Ｇ１の寸法を確保し(図４(ａ)参照)、最終充填部１４近傍で不足する発泡断熱材１１を、この内箱側真空断熱材１７を省いた所を使って流路を広げて補給するようにしたものである。
なお、隙間通路Ｇ１の寸法を確保するのが難しい箇所としては断熱空間１５を４０ｍｍ前後としている冷蔵室２周り、野菜室４周りが挙げられる。
【００５９】
そこで、冷蔵室２周り、野菜室４周りの断熱空間１５にあっては、外箱側真空断熱材１６および／または内箱側真空断熱材１７を配置する発泡断熱材１１の流れる隙間通路Ｇ１を１５ｍｍ以上確保するようにすると、発泡断熱材１１が良好に断熱空間１５に充填できるので、より好ましい。
【００６０】
また、冷凍室３周りのように断熱空間１５が６０ｍｍ前後と十分確保されている所には、先の外箱側真空断熱材１６と内箱側真空断熱材１７の両方を配置してもよい。
冷凍室３周りの断熱空間１５は、隙間通路Ｇ１の厚さ寸法１５ｍｍは余裕で確保できるので、この冷凍室３周りの断熱空間１５には、外箱側真空断熱材１６と内箱側真空断熱材１７、並びに角部内箱側真空断熱材１７ａを配置しておくのが効果的である。
【００６１】
以上、まとめると、冷蔵庫１は説明したような構成を有するから、次の効果が得られる。
図５に示すように、冷蔵庫１の断熱箱体１Ｈ１の背面部が上方になるように、断熱箱体１Ｈ１を伏せて配置し、発泡断熱材１１の原液１３を背面部側より充填し、最終充填部１４を断熱箱体１Ｈ１の背面部とする。そして、断熱箱体１Ｈ１の壁板(側壁)を形成する外箱６と内箱７との間に作られる断熱空間１５内に、外箱側真空断熱材１６と内箱側真空断熱材１７および発泡断熱材１１とを配置するようにする。
【００６２】
また、庫内を区画して断熱する仕切り断熱壁９、１０に対向した断熱空間１５には、少なくとも外箱側真空断熱材１６或いは内箱側真空断熱材１７の何れか一方を配置し、発泡断熱材１１の流れる隙間通路Ｇ１の断面積を他より大きく確保した(図４(ａ)参照)後、発泡断熱材１１を充填するようにしている。
【００６３】
庫内と庫外の温度差が小さくなる仕切り断熱壁９、１０の対向部の断熱空間１５は外箱側真空断熱材１６または内箱側真空断熱材１７の何れか一方とすることにより、発泡断熱材１１が流れる空間を十分に確保するので、発泡断熱材１１の流れを部分的に良好にでき、断熱箱体１Ｈ１の背面部へのフォーム充填が確実になる。これにより、断熱効率が良く、しかも生産性が高い冷蔵庫１を得られる。
また、従来の如く、発泡断熱材の注入量を増加させないので、コスト高や冷蔵庫の重量アップ等の従来の解決すべき課題も解消できる。
【００６４】
また、他の貯蔵室(２、４)の周りの断熱空間１５の厚さより厚く形成された冷凍室３周りの断熱空間１５に、外箱側真空断熱材１６と内箱側真空断熱材１７とを配置し、他の貯蔵室(２、４)の発泡断熱材１１が流れる隙間通路Ｇ１の寸法に合わせ、発泡断熱材の均一な流動性を確保するようにした冷蔵庫１としている。
【００６５】
これにより、断熱空間１５全体への発泡断熱材１１の流れを良好にし、予め設定される最終充填部１４まで確実に発泡断熱材１１を充填することができる。また、冷凍室３周りの断熱効果を高められる冷蔵庫１が得られる。
【００６６】
また、外箱側真空断熱材１６と内箱側真空断熱材１７とを配置する断熱空間１５にあって、発泡断熱材１１の流れる隙間通路Ｇ１を１５ｍｍ以上確保するようにした冷蔵庫１とするとよい。
このことにより、断熱空間１５に発泡断熱材１１を均一充填することができる。
【００６７】
更に、断熱箱体１Ｈ１を形成する外箱６と内箱７との間に発泡断熱材１１が充填される断熱空間１５内に外箱側真空断熱材１６と内箱側真空断熱材１７を配置するようにした冷蔵庫１にあって、角部内箱真空断熱材１７ａで内箱７の背面コーナー部を覆うと共に、この角部内箱真空断熱材１７ａの端部は外箱側真空断熱材端部１６と、投影面上でラップ(重畳)、または、対向するようにしている。
【００６８】
これにより、例えば外箱６の側面板６ａ、６ｂと背面板６ｅが結合される角部には接続用のＨ状折り曲げ部８ｂがあることにより、その角部(図３、図４(ａ)のＰ部参照)から離隔して外箱側真空断熱材１６は配設される。
【００６９】
従来、冷蔵庫においては内箱角部が外箱側真空断熱材のカバー範囲より外れてしまう解決すべき課題があったが、本実施形態(発明)によればこの課題を解決することは勿論、発泡断熱材１１の流れる隙間通路Ｇ１を阻害することがないので、発泡断熱材１１の流れる隙間通路Ｇ１の空間を十分に確保し、断熱空間１５全体への発泡断熱材１１の流れを良好できる。また、断熱効率が良くしかも生産性が高い冷蔵庫１を得られる。
【００７０】
＜＜その他の実施形態＞＞
なお、前記実施形態では、外箱側真空断熱材１６と内箱側真空断熱材１７の貼着に熱可塑性接着剤のホットメルトを使用する場合を例示したが、他の接着剤を使用してもよい。
また、前記実施形態では、種々の構成を説明したが、これらを適宜組み合わせて構成してもよい。
【００７１】
なお、前記実施形態では、最終的に発泡断熱材１１が充填される箇所として、断熱箱体１Ｈ１の背面部の最終充填部１４を例示したが、背面部以外を最終充填部１４としてもよい。しかし、断熱箱体１Ｈ１の背面部を最終充填部１４とすると、発泡断熱材１１の原液１３の流れが把握し易いのでより望ましい。
【００７２】
以上、本発明の様々な実施形態を述べたが、その説明は典型的であることを意図している。
つまり、本発明は、前記した実施形態に限定されるものでなく、様々な変形例が含まれる。例えば、前記した実施形態は本発明を分かり易く説明するために詳細に説明したものであり、必ずしも説明した全ての構成を備えるものに限定されるものでない。
【００７３】
また、ある実施形態の構成の一部を他の実施形態に置き換えることが可能であり、また、ある実施形態の構成に他の実施形態の構成を加えることも可能である。また、各実施形態の構成の一部について、他の構成の追加、削除、置換をすることが可能である。
このように、本発明の範囲内で様々な修正と変更が可能である。すなわち、本発明は発明の趣旨を変更しない範囲において適宜、任意に変更可能である。
【符号の説明】
【００７４】
１      冷蔵庫
１Ｈ１  断熱箱体
２      冷蔵室(貯蔵室)
３      冷凍室(貯蔵室)
４      野菜室(貯蔵室)
６      外箱
７      内箱
９      仕切り断熱壁
１０    仕切り断熱壁
１１    発泡断熱材
１３    原液
１５    断熱空間
１６    外箱側真空断熱材
１７    内箱側真空断熱材
１７ａ  角部内箱側真空断熱材
Ｇ１    隙間通路
Ｐ      外箱の角部
【図１】
2013249977.tif 000003
【図２】
2013249977.tif 000004
【図３】
2013249977.tif 000005
【図４】
2013249977.tif 000006
【図５】
2013249977.tif 000007
【図６】
2013249977.tif 000008